(57)【特許請求の範囲】
【請求項１】
第２搬送波周波数への色信号の周波数変換のための回路装置であって、前記色信号は画像ライン内に存在し、且つ第１搬送波周波数の色副搬送波上で変調された色情報信号と色バーストとを具え、前記回路装置は、周波数変換に加えて、色信号が共役複素数型で存在する出力信号を発生する共役複素数形成のための共役複素数モードに切換できる色信号の周波数変換用回路装置において、
‐第１搬送波周波数上で変調された色信号が第１ミクサによって第３搬送波周波数へ変換され、該第３搬送波周波数は第１搬送波周波数よりも高く且つ前記第２搬送波周波数よりも低く、
‐前記第３搬送波周波数を有する色信号を前記第２搬送波周波数へ変換する第２ミクサが設けられ、該第２ミクサは、前記共役複素数モードが活性化される期間中には第２ミクシング信号を受け取り、且つ残りの期間中には第１ミクシング信号を受け取り、
‐前記第１ミクシング信号の周波数は、この周波数と前記第３搬送波周波数との合計が前記第２搬送波周波数と一致する周波数に相当するように選択され、
‐前記第２ミクシング信号の周波数は、この周波数と前記第３搬送波周波数との差が前記第２搬送波周波数と一致する周波数に相当するように選択され、
‐前記第２ミクサへ供給される前記第３搬送波周波数上で変調された色信号と、前記第１ミクシング信号と、前記第２ミクシング信号との間の位相関係は、前記第２ミクサの出力信号中の色情報信号が、前記色副搬送波上で所望の位相位置に変調されるように選択され、
‐前記第２ミクサの出力端子は帶域通過フィルタへ接続され、前記帶域通過フィルタの出力端子から、前記第２搬送波周波数を有する色副搬送波上で変調された色信号が供給される
ことを特徴とする色信号の周波数変換用回路装置。
【請求項２】
請求項１に記載の回路装置において、
前記第３搬送波周波数が前記第２搬送波周波数の半分と等しく、且つ前記第２ミクサへ供給される前記第３搬送波周波数上で変調された色信号が
cos(ωｔ／２＋ψ＋γ)
なる位相位置に存在し、前記第１ミクシング信号は
sin(ωｔ／２＋α)
なる位相位置に存在し、且つ前記第２ミクシング信号は
sin(３ωｔ／２＋β)
なる位相位置に存在し、ここにα−β＋２γ＝０なる関係が保持され、ここに、ψは色情報を具えている有用な位相位置であり、且つωは前記第２色副搬送波周波数であり、且つα、β、γは前記回路装置により発生される別の移相であり、且つ前記第１ミクシング信号は前記第３搬送波周波数に相当する周波数を有し、且つ前記第２ミクシング信号は前記第３搬送波周波数の３倍に相当する周波数を有することを特徴とする色信号の周波数変換用回路装置。
【請求項３】
請求項１又は２に記載の回路装置において、
前記回路装置へ供給される色信号がビデオレコーダのための再生信号であり、前記第１ミクサが櫛形フィルタに先行し、前記櫛形フィルタは、供給される色信号内の不所望な信号成分、特にビデオレコーダ上で再生されるビデオテープの隣接するトラックから発生するクロストーク信号を濾波することを特徴とする色信号の周波数変換用回路装置。
【請求項４】
請求項１〜３のいずれか１項に記載の回路装置において、
信号発生器及びこれに後続する除算器回路が設けられ、前記除算器回路はほぼ方形波形状の信号を供給し、前記方形波形状の信号は、特に前記第１及び第２ミクシング信号の周波数成分を具え、第１フィルタ及び第２フィルタへ供給され、前記第１フィルタは前記第２ミクシング信号の周波数成分を抑制して前記第１ミクシング信号を出力端子から供給し、前記第２フィルタは前記第１ミクシング信号の周波数成分を抑制して前記第２ミクシング信号を出力端子から出力することを特徴とする色信号の周波数変換用回路装置。
【請求項５】
請求項４に記載の回路装置において、
前記第１フィルタは前記第１ミクシング信号の周波数成分の位相位置を−45°だけシフトし、前記第２フィルタは前記第２ミクシング信号の周波数成分の位相位置を＋45°だけシフトすることを特徴とする色信号の周波数変換用回路装置。
【請求項６】
請求項４又は５に記載の回路装置において、
該回路装置が異なる値の周波数成分振幅を補償するための手段を具えていることを特徴とする色信号の周波数変換用回路装置。
【請求項７】
請求項６に記載の回路装置において、
前記帶域通過フィルタが、増幅度を切り換え可能な増幅器に先行し、前記増幅器は、前記共役複素数モードにおいて前記帶域通過フィルタの出力信号の異なる振幅値を補償し、前記異なる振幅値は、前記第２ミクサに前記第１ミクシング信号が供給されるか前記第２ミクシング信号が供給されるかに依存して生じることを特徴とする色信号の周波数変換用回路装置。
【請求項８】
請求項４又は５に記載の回路装置において、
前記第１及び第２フィルタの出力信号が第１スイッチへ供給され、前記第１スイッチは、前記共役複素数モードでは前記第２ミクシング信号を前記第２ミクサへ供給し、残りの期間中には前記第１ミクシング信号を前記第２ミクサへ供給することを特徴とする色信号の周波数変換用回路装置。
【請求項９】
請求項４に記載の回路装置において、
前記信号発生器が、前記第２搬送波周波数に相当する基本周波数を有する矩形波信号を供給し、前記矩形波信号の周波数が乗算器によって二倍にされ、前記乗算器の出力信号は除算器回路へ供給され、前記除算器回路の第１出力端子は、前記乗算器の出力信号を４で除算した第１出力信号を移相無しで供給し、前記第１出力信号は前記第１フィルタへ供給され、且つ前記色信号の色規格及びモードに応じて前記第２フィルタへ供給され、前記除算器回路の第２出力端子は、前記乗算器の出力信号を４で除算し、且つ前記第１出力端子の出力信号に対して＋90°だけ移相させた第２出力信号を供給し、前記第２出力信号は位相比較器よって用いられ、前記移相比較器の出力信号は、前記第１ミクサ用のミクシング信号を発生するために用いられることを特徴とする色信号の周波数変換用回路装置。
【請求項１０】
請求項１〜９のいずれか１項に記載の回路装置において、
該回路装置へ加えられる色信号はPAL規格の信号であり、前記色信号の交番的な位相位置が少なくとも一時的に乱され、これらの期間中に前記共役複素数モードが交互にオン及びオフ切り換えされることを特徴とする色信号の周波数変換用回路装置。
【請求項１１】
請求項１〜１０のいずれか１項に記載の回路装置において、  NTSC信号を処理するために、前記第１ミクシング信号が前記第２ミクサへ加えられ、且つ該回路装置は前記共役複素数モードに設定されないことを特徴とする色信号の周波数変換用回路装置。
【請求項１２】
請求項１〜１１のいずれか１項に記載の回路装置において、  該回路装置へ加えられる色信号がNTSC規格の信号であり、且つ、前記信号をPAL規格にコード変換するために、該回路装置が偶数番目の画像ライン期間中に前記共役複素数モードに設定されることを特徴とする色信号の周波数変換用回路装置。
【請求項１３】
前記回路装置へ供給される色信号は、ビデオテープによって再生され場合によっては増幅された形でカラーアンダー搬送波周波数の搬送波上に変調され、且つ該回路装置によって前記第２搬送波周波数へ変換され、前記回路装置が、前記共役複素数モードに設定された際に、１ラインおきの共役複素数信号を発生する、ビデオレコーダにおける請求項１〜１２のいずれか１項に記載された回路装置。
【発明の詳細な説明】
【０００１】
【発明の属する技術分野】
本発明は第２搬送波周波数への色信号の周波数変換のための回路装置に関するもので、その色信号は画像ライン内に存在し、且つ第１搬送波周波数の色副搬送波上で変調された色情報信号と色バーストとを具え、その回路装置は付加的に周波数変換のために、色信号が共役複素数型で存在する出力信号をそれが発生する共役複素数形成のためのモードに切換できる。
【０００２】
フィリップス社により販売されている集積回路TDA 9726はそのような回路装置を具えている。この回路装置は２個のミクサを有している。比較的低い周波数の色副搬送波を有する入力信号が、関連する送信規格を備えられた色副搬送波周波数へ、ミクサによって変換される。第１ミクサは櫛形フィルタに先立っている。今度はこの櫛形フィルタが共役複素数信号を発生するために用いられる第２ミクサに先立っている。この信号は、例えば、NTSC信号をPAL信号へコード変換するために、共役複素数形成モードにおいて要求される。この共役複素数信号はまたPAL系列が妨害されるPAL信号のためにも要求される。既知の回路装置においては、それのもとの位相位置における信号と共役複素数信号との間の切換はミクサの入力信号又は出力信号とのいずれかが、それによって画像ラインから画像ラインへ交互に用いられるスイッチにより実行される。この現在の技術水準の回路装置は色信号が第１ミクサによって変換される搬送波周波数が常にその回路装置の出力端子から供給される周波数でなければならないと言う欠点を有している。出力スイッチが第１ミクサと第２ミクサとの出力信号へ交互に切り換えるのでこれが必要である。第２ミクサの出力端子における搬送波周波数がこの回路装置の出力端子から供給されるべき周波数と同じでない場合には、第３ミクサが第２ミクサと次のスイッチとの間に配置されねばならず、その第３ミクサはその時この周波数への変換の処理をするだろう。
【０００３】
【発明が解決しようとする課題】
色信号が第１ミクサによって変換される搬送波周波数が予め決められた限度内で選択でき、且つそれでもやはりその回路装置が少しの数の構成要素しか必要としないような方法で、上述の回路装置を改善することが本発明の目的である。
【０００４】
【課題を解決するための手段】
本発明によると、第１搬送波周波数上で変調された色信号が第１ミクサによって第３搬送波周波数へ変換され、その第３搬送波周波数は第１搬送波周波数よりも高く且つ第２搬送波周波数よりも低く、第３搬送波周波数を有する色信号が第２搬送波周波数へ変換される第２ミクサが設けられ、この第２ミクサが共役複素数形成モードが活性化される期間の間第２ミクシング信号を受け取り、且つ残りの期間の間第１ミクシング信号を受け取り、第１ミクシング信号の周波数は第３搬送波周波数を有するそれの合計が第２搬送波周波数と一致する周波数に相当するように選択され、第２ミクシング信号の周波数はこの周波数と第３搬送波周波数との間の差が第２搬送波周波数と一致する周波数に相当するように選択され、第２ミクサへ加えられ且つ第３搬送波周波数上で変調される色信号と第１ミクシング信号及び第２ミクシング信号の間の位相関係は第２ミクサの出力信号内の色情報信号が色副搬送波上の所望の位相位置に変調されるように選択され、且つ第２ミクサの出力端子が、それの出力端子から第２搬送波周波数を有する色副搬送波上で変調される色信号を供給する帶域通過フィルタへ接続されていることで、この目的は解決される。
【０００５】
第１ミクサによって、入力信号の色副搬送波周波数は入力信号の色副搬送波周波数の上である周波数まで混合される。この周波数はまたこの回路装置の出力端子から供給されるべきであり且つ、例えば、入力端子における色信号の送信規格と一致する色副搬送波周波数を備えられた周波数である周波数の下である。かくして、入力端子において色信号が第１ミクサによって変換される第３搬送波周波数の選択のために可能な比較的大きい範囲の値がある。
【０００６】
それに加えて、二つの目的にかなう第２ミクサが設けられる。一方において、第２ミクサへ加えられた信号の色副搬送波周波数が、その周波数は第１ミクサにおける混合過程により決められたものであるが、この回路装置の出力端子から供給されるべき色副搬送波周波数へこの第２ミクサによって変換される。他方において、所望ならば、第２ミクサが共役複素数信号を発生する目的のために同時に用いられる。第２ミクサのこの二重機能により、第３ミクサは必要ではないが、第１ミクサの出力端子における色副搬送波周波数がこの回路装置の出力端子から供給されるべき色副搬送波周波数にすでに相当しない場合には、従来技術の回路においては要求されるだろう。
【０００７】
この二重機能のために、二つのミクシング信号がそのミクサへ加えられ得る。第１のミクシング信号は第２ミクサの入力端子へ加えられる色信号の色副搬送波周波数と第１ミクシング信号との合計がこの回路装置の出力端子から供給されるべき第２搬送波周波数の周波数に相当するような方法でそれの周波数に関して選択される。第２ミクシング信号は第２ミクシング信号の周波数と第２ミクサへ加えられる色信号の搬送波周波数との間の差が第３搬送波周波数、すなわち色信号の搬送波が持たねばならない、且つこの回路装置の出力端子から供給される周波数と等しいような方法でそれの周波数に関して選択される。第２ミクサへ加えられる色信号と二つのミクシング信号との間の位相関係はその時、ミクサの出力信号において、どのミクシング信号がこのミクサへ加えられるかと言う事実に依存して、もとの位相位置においてか又は共役複素数位相位置においてかのいずれかで、色信号が色副搬送波上で変調されるような方法で考えられ且つ選択されねばならない。
【０００８】
第２ミクサが第１ミクシング信号を受け取る期間の間は、そのミクサによって周波数変換のみが行われる。これらの期間の間、第１ミクサにより供給された第３搬送波周波数の色副搬送波が第２搬送波周波数へ変換される。このモードは、例えばPAL系列が妨害されないPAL信号を処理するために用いられ得る。これはまた、入力端子に存在し且つ出力端子において再びNTSC信号として利用できるようにされねばならないNTSC信号にも適合する。
【０００９】
共役複素数形成モードにおいては、第２ミクシング信号がそのミクサへ加えられる。従って、第２ミクサの出力端子は第３搬送波周波数の色副搬送波上で共役複素数位相位置で変調される色信号を供給する。このモードはそれ故に、例えば入力端子へ加えられたNTSC信号をPAL信号へコード変換のために付加的に用いられ得る。このモードはまたPAL系列が妨害されるPAL信号を補正するため、すなわち正しいPAL系列を復元するためにも用いられ得る。NTSC信号がPAL信号へコード変換されねばならない場合には、この回路装置は正常モードと共役複素数モードとへライン交互に設定されねばならない。その時、色信号はすべての第２ラインの間発生され、そこでは第３搬送波周波数の色副搬送波がこの信号上の共役複素数位相位置において変調される。残りの期間の間は、色信号の位相位置は影響されない。PAL信号へのNTSC信号のコード変換は、その時実行された。PAL系列がPAL信号内で妨害される場合は、この回路装置が各妨害において他のモードへ毎回設定される。かくして、この回路装置は正常モードから共役複素数モードへ、あるいは逆に設定される。従って、PAL系列が二つのモードの間のすべての切換において補正され得る。PAL系列のすべての妨害において、二つのモード間の一回切換がある。次の妨害においては、そのような切換が再び追従する。
【００１０】
かくしてこの回路装置は、第１ミクサからの出力信号の搬送波周波数の自由な選択の故に、この回路装置が広く普遍的な用途を見出すと言う利点を有する。例えば、第１及び第２ミクサの間に付加的に配置されたフィルタは関連する所望の周波数において動作できる。第２ミクサの二重機能によって、第３ミクサは必要でない。その上、第２ミクサは周波数変換のためと共役複素数形成のためとの両方に用いられる。これが構成要素の数を低減する。
【００１１】
従来技術の回路はそのような機能のために３個のミクサを要求するだろう。別の実際の欠点は、従来技術においては、別の低域通過フィルタがその時設けられるはずの第３ミクサの後に要求されるだろう。それが色信号における更なる信号遅延へ導くので、これは大きい欠点である。もう一つの分枝において並列に処理される色信号もまたその時遅延されねばならないだろう。しかしながら、そのような遅延は大きい困難により、あるいは特に集積回路においては高コストでのみ実現され得る。本発明による回路装置の比較的小さい信号遅延はそれ故に非常に好都合である。
【００１２】
本発明の一実施例は、第３搬送波周波数が第２搬送波周波数の半分と等しく、且つ第２ミクサへ加えられ且つ第３搬送波周波数上で変調される色信号が位相位置
cos(ωｔ／２＋ψ＋γ)
により存在し、第１ミクシング信号は位相位置
sin(ωｔ／２＋α)
により存在し、且つ第２ミクシング信号は位相位置
sin(３ωｔ／２＋β)
により存在し、一方それはα−β＋２γ＝０を保持し、且つそこで、ψは色情報を具えている有用な位相位置であり、且つωは第２色副搬送波周波数であって、且つα、β、γはこの回路装置により発生される別の移相であり、且つ第１ミクシング信号は第３搬送波周波数に相当する周波数を有し、且つ第２ミクシング信号は３倍の第３搬送波周波数に相当する周波数を有することを特徴としている。
【００１３】
この好都合な実施例においては、この回路装置の入力端子へ加えられる色信号の色副搬送波周波数は、搬送波の正常出力周波数の半分へ第１ミクサによって混合される。出力端子における信号の第２搬送波周波数が送信規格による周波数である場合には、その時、この好都合な実施例に従って、第１ミクサがこの回路装置の入力端子へ加えられた信号をこの出力周波数の半分の周波数にのぼる搬送波周波数へ変換する。この場合において、第１ミクシング信号は第３搬送波周波数に相当する周波数を有し、且つ第２ミクシング信号は第３搬送波周波数の３倍である周波数を有している。その上、上述の移相関係が維持されねばならない。
【００１４】
本発明の別の実施例においては、この回路装置へ加えられる色信号がビデオレコーダのための再生信号であり、且つ第１ミクサがそれに加えられる色信号内の望まれない信号成分、特にビデオレコーダ上で演じられるビデオテープの隣接するトラックから発生するクロストーク信号を濾波する櫛形フィルタに先立っている。
【００１５】
本発明による回路装置がビデオレコーダに用いられた場合には、この回路装置の入力端子へ加えられた色信号は色信号がそのテープ上に記録されるいわゆるカラーアンダー搬送波周波数上で変調される。色信号が第１ミクサによって高い搬送波周波数へこの周波数から変換される。櫛形フィルタもこの周波数において動作し、且つこのフィルタの構成要素の数は、従来技術と違って、櫛形フィルタが第２搬送波周波数よりも低い周波数において動作するので、比較的小さく維持され得る。その櫛形フィルタの構成要素の数はそれにより低減される。第２搬送波周波数へ上げられた搬送波周波数は櫛形フィルタの後のみにある。これはコード変換のために同時に用いられ得る第２ミクサによって実現される。
【００１６】
本発明の別の実施例によると、信号発生器と次の除算器回路とが設けられ、それにより、なかんずく第１及び第２ミクシング信号の周波数成分を具え、且つ第２ミクシング信号の周波数成分がそれにより抑制され且つそれの出力端子から第１ミクシング信号を供給する第１フィルタへ加えられ、且つ第１ミクシング信号の周波数成分がそれより抑制され且つそれの出力端子から第２ミクシング信号を供給する第２フィルタへ加えられる実質的に方形波形状の信号を供給する。
【００１７】
第１及び第２ミクシング信号の周波数は、出力信号が必要な周波数成分を具えているスペクトルを有するような信号発生器によって、好都合に発生されてもよい。例えば、第３色副搬送波周波数が第２色副搬送波周波数の半分と等しい場合には、第３色副搬送波周波数と３倍色副搬送波周波数とに一致する周波数成分がその矩形波信号から要求される。これらの周波数は常に矩形波信号内に存在している。それ故に、第３搬送波周波数の３倍周波数の周波数成分を抑制し、且つ従ってそれの出力端子から好適に第３搬送波周波数の単一周波数を有する周波数成分を供給する、第１フィルタが設けられる。更にその上、逆に、単一の第３搬送波周波数を有する周波数成分を抑制し、且つそれの出力端子から、なかんずく、３倍の第３搬送波周波数を有する周波数成分を供給する、第２フィルタが設けられる。これら２個のフィルタの出力信号は第２ミクサのためのミクシング信号として用いられる。
【００１８】
必要な場合には、これらのフィルタは二つのミクシング信号と第２ミクサの入力端子へ加えられる色信号との間の所望の移相関係を調節する目的のために、付加的に用いられてもよく、その色信号は第３搬送波周波数を有する搬送波上で変調される。それ故に本発明の別の実施例は、第１フィルタが−45°だけ第１ミクシング信号の周波数成分の位相位置をシフトし、第２フィルタが＋45°だけ第２ミクシング信号の周波数成分の位相位置をシフトすることを特徴としている。
【００１９】
矩形波信号中の異なる周波数成分は異なる振幅を有している。その結果、それら二つのミクシング信号も異なる振幅を有している。これは望ましくないので、本発明の別の実施例は、この回路装置が異なる値の周波数成分振幅を補償するための手段を具えていることを特徴としている。これらの手段は、例えば二つのフィルタの出力信号が、それらの出力端子から同じ振幅を有する二つのミクシング信号を供給する増幅器と減衰器との双方又はいずれか一方へ加えられるような方法で実行されてもよい。
【００２０】
本発明によると、好適な一実施例はまた帶域通過フィルタが、切換可能な増幅度を有する増幅器に先立っており、それは共役複素数モードにおいて帶域通過フィルタの出力信号の異なる振幅値を補償し、その値は第１ミクシング信号と第２ミクシング信号とのどちらが第２ミクサへ加えられると言う事実に依存して生じる。
【００２１】
第１及び第２ミクシング信号の所望の周波数を発生するため、及び第２ミクサへ加えられる色信号の搬送波周波数とミクシング信号との間の所望の位相位置を発生するために、本発明の別の実施例は、信号発生器が周波数が乗算器によって二倍にされ、出力信号が除算器回路へ加えられる第２搬送波周波数に相当する基本周波数を有する矩形波信号を供給し、前記の除算器回路の第１出力端子が移相無しで４で除算された出力信号を供給し、その出力信号は、第１フィルタへ及び、色信号の色規格とモードとに依存して、第２フィルタへ加えられ、且つ前記の除算器回路の第２出力端子が、４で除算され且つ第１出力端子における出力信号に対して＋90°だけ移相されており、且つ出力信号が第１ミクサ用のミクシング信号を発生するために用いられる位相比較器のために用いられる出力信号を供給することを特徴としている。
【００２２】
そのようなディジタル除算器回路は非常に少ない数の構成要素により実現され得る。その除算器回路内に０°と90°との位相位置を有する二つの出力端子が容易に実現され得ることが付加的な利点を有している。そのような除算器はまた、特にミクシング信号に対して、所望の位相関係を発生するために、簡単な方法で用いられ得る。従来技術の回路と違って、別々の移相器はこの目的に対して要求されない。
【００２３】
本発明のこれらの態様が以下に記載される実施例から明らかになり、且つ本発明のその他の態様が以下に記載される実施例を参照して解明されるであろう。
【００２４】
【発明の実施の形態】
唯一の図面は本発明による回路装置の一実施例のブロック線図であり、それの入力端子が比較的低い搬送波周波数上で変調される色信号を受信する。その上、この信号は、各画像ラインの開始において、色信号の通常の位相位置を示す色バーストを具えている。この搬送波周波数は、例えば、信号がそれによりビデオレコーダテープ上に記録され且つビデオレコーダテープから読み取られる色信号のカラーアンダー搬送波周波数であってもよい。
【００２５】
この回路装置は、第２搬送波周波数へ変換された形でその回路の出力端子からこの信号を供給する。この搬送波周波数は、例えば、送信規格に従った色信号に必要な周波数であってもよい。PAL色信号に対しては、この周波数は、例えば、4.4…MHzである。この信号は図においてはｆscにより表されている。
【００２６】
この周波数変換に加えて、図に示された回路装置はまた、画像ラインから画像サイリスタまで交互にもとの位相位置内と共役複素数位相位置内とに色信号を発生するためにも用いられ得る。
【００２７】
この回路装置の入力端子へ加えられ且つカラーアンダー搬送波周波数を有する色副搬送波上で変調された色信号が第１ミクサ１へ加えられる。この第１ミクサ１によって、色副搬送波周波数は、この実施例においては、出力信号の色副搬送波周波数ｆscの半分に相当する第３色副搬送波周波数へ変換される。この第１ミクサの出力信号は櫛形フィルタ２へ加えられる。この櫛形フィルタ２に対する要素の数は、それが出力信号の周波数ｆscで動作しないで、その周波数の半分でのみ動作するので、比較的小さい。この櫛形フィルタ２は、例えば信号ｆcuがビデオテープから読み取られた場合に隣接するトラックからのクロストーク信号の色信号成分を抑制するために用いられ得る。
【００２８】
この櫛形フィルタ２の出力信号は、なかんずく、位相比較器３へ加えられる。この位相比較器３は信号BKによりクロックされる。これは色バーストが送信される場合の期間の間だけ活性であるバーストキー信号である。
【００２９】
位相比較器３の出力端子は、制御ループの所望の位相と周波数特性とを調節するフィルタ４へ結合されている。このフィルタ４へ結合されたこの信号が、出力信号が除算器６によって除算される電圧制御発振器５へ加えられる。この除算器６の出力端子が周波数
ｆsc／２＋ｆcu
を有する信号を供給する。その結果、第１ミクサの出力信号は、周波数
ｆsc／２
を有する。
【００３０】
位相比較器３はまた水晶発振器７の出力信号から引き出された入力信号を受け取る。この水晶発振器の出力信号は乗算器８によって二倍周波数へ最初に上げられる。この乗算器８の出力信号は櫛形フィルタ２をクロックするために用いられ且つ除算器９へ加えられる。この除算器９が信号を４で除算し、第１出力端子10において不変の位相位置でこの信号を供給する。第２出力端子11において、この信号は＋90°の位相位置で利用できるようにされる。この第２出力端子11の出力信号がスイッチ14aの第１入力接点12へ加えられる。除算器９の第１出力端子10の出力信号がスイッチ14aの第２入力接点13へ加えられる。スイッチ14aの出力接点14が位相比較器３の第２入力端子へ結合されている。信号ｆcuがPAL信号である場合には、このスイッチ14aは画像ラインから画像ラインまで90°だけ位相比較器へ加えられる比較信号をシフトするために用いられ得る。この時位相比較器３へ加えられる二つのバースト信号は画像ラインから画像ラインまで同じ位相ジャンプを有している。これは、これらの位相ジャンプにもかかわらず、位相比較器３がそれの出力端子から一定信号を供給すると言う利点を有する。位相比較器３、ループフィルタ４、電圧制御発振器５、除算器６及び第１ミクサ１により構成される位相ロックループがその時、PAL信号が用いられる場合にも、周波数又は位相ジャンプ無しで動作する。
【００３１】
櫛形フィルタ２の出力信号は、この信号に＋45°の移相ずれを与える移相器15へ加えられる。この移相器15の出力信号はスイッチ18の第１入力接点16へ加えられる。
【００３２】
櫛形フィルタ２の出力信号は更にスイッチ18の第２入力接点17へ加えられる。スイッチ18の出力接点19は第２ミクサ20の第１入力端子21へ接続されている。
【００３３】
第２ミクサ20の第２入力端子22はスイッチ23の出力接点24へ接続されている。このスイッチ23は第１入力接点25と第２入力接点26とを有している。第１ミクシング信号がスイッチ23の第１入力接点25へ加えられ、且つ第２ミクシング信号がこのスイッチの第２入力接点26へ加えられる。
【００３４】
これらのミクシング信号は出力端子10及び11においてこれらの信号を与える除算器９の出力信号から引き出される。この目的のために、除算器９の第２出力端子11がスイッチ27の第１入力接点29へ結合されている。除算器９の第１出力端子10がスイッチ27の第２入力接点28へ結合されている。スイッチ27の出力接点30が出力信号がスイッチ23の第１入力接点25へ結合されている第１フィルタ33に先立つ減衰器31へ接続されている。
【００３５】
除算器９の第１出力端子10の出力信号が、出力端子がスイッチ23の第２入力接点26へ接続されている第２フィルタ34へ出力信号が加えられる増幅器32へ加えられる。
【００３６】
二つのミクシング信号の間の位相関係はスイッチ27によって所望のように調節され得る。第１及び第２ミクシング信号の間の切換はスイッチ23によって実行される。
【００３７】
両方のミクシング信号は除算器９の出力信号から引き出され、且つ周波数成分のスペクトルを具えている。図示の実施例においては、第２ミクサ20の第１入力端子21へ加えられる色信号の搬送波周波数は
ｆsc／２
である。
【００３８】
その時第１ミクシング信号もまたこの周波数を有さねばならず、且つ第２ミクシング信号は３倍の周波数を有さねばならない。これらの周波数成分は除算器９の出力信号内に具えられる。所望の周波数成分を濾波するため、又は望まれない周波数成分を抑制するために、第１フィルタ33と第２フィルタ34とが設けられている。この第１フィルタ33はそれが
３ｆsc／２
と一致する周波数成分を抑制し、且つ−45°だけ周波数成分
ｆsc／２
を移相するような方法で実行される。これは品質Ｑ＝３／８を有するフィルタによって達成される。
【００３９】
第２フィルタ34もまたＱ＝３／８の品質を有し、優先権により、周波数
ｆsc／２
を抑制する。フィルタがそれの出力端子から有用な周波数として供給する周波数
３ｆsc／２
は＋45°だけ移相される。その時第１及び第２ミクシング信号はそれぞれ入力端子25及び26における必要な周波数により利用できる。共役複素数モードにおいては、スイッチ23が位置26へ設定される。そのスイッチが位置25に有る場合には、
ｆsc／２
の搬送波周波数における第２ミクサ20の入力端子21へ加えられる色信号の周波数は、搬送波周波数ｆscへ変換される。この周波数成分に加えて、別の成分が第２ミクサ20の出力信号内に具えられて、且つこの理由のために第２ミクサ20がそれの出力端子から搬送波周波数ｆscの信号成分のみを供給する帶域通過フィルタ35に先立つ。
【００４０】
スイッチ23がそれの第２入力端子26へ切り換えられた場合の期間中に、第２ミクサ20の第２入力端子22が周波数
３ｆsc／２
の第２ミクシング信号を受け取る。周波数
ｆsc／２
の信号と混合することにより、なかんずく周波数ｆscの信号が作りだされるが、この信号は共役複素数位相位置にある。それで、周波数ｆscへの両方の周波数変換が行われ、且つ、同時に、共役複素数信号が発生された。
【００４１】
入力信号ｆcuが、例えばNTSC信号である場合で、且つこの信号が送信規格と一致する色副搬送波周波数に周波数変換されるべきでないのみならず、PAL規格の色信号にコード変換もされるべきでない場合には、スイッチ23は画像ラインから画像ラインへ切換られるので、信号がそれのもとの位相位置において及び共役複素数位相位置においてライン交互に発生される。このモードはPAL系列が一時的に妨害されるPAL信号に対しても用いられ得る。そのような妨害の間に、正しいPAL系列がスイッチ23を切り換えることによっても復旧される。PAL系列の各妨害において、スイッチ23がその時関連する他の位置へ切り換えられる。PAL系列が次に妨害されないかぎりこの位置のままである。そのPAL系列の次の妨害において、そのスイッチが関連する他の位置へ再び切り換えられる。
【００４２】
例えば、入力端子へ加えられるNTSC信号がそれ事態で供給されるべきであるので、あるいは入力端子へ加えられるPAL信号が妨害されていないPAL信号を有するので、そのようなコード変換が行われない場合には、スイッチ23はそれの位置25に留まるので、第２ミクサ20は周波数変換のみを実行する。
【００４３】
第２ミクサ20の入力端子21へ加えられる色信号の、及び第２ミクサの第２入力端子22へ加えられるミクシング信号の、ここに説明された、これらの周波数条件に加えて、これら３個の信号の間の相互位相関係も考えられねばならない。
【００４４】
すでに上で説明されたように、第１フィルタ33が−45°だけ位相をシフトし、且つ第２フィルタ34が＋45°だけ位相をシフトする。この時第１ミクシング信号は
sin(ωｔ／２＋α)
の位相位置を有し、且つ第２ミクシング信号は
sin(３ωｔ／２＋β)
の位相位置を有して、ここでα＝−45°及びβ＝＋45°である。このミクサ20の第１入力端子へ加えられた色信号、又はそれの色副搬送波の位相位置が
cos(ωｔ／２＋ψ＋γ)
である場合には、
α−β＋２γ＝０
が、位相角α、β及びγに対して保持されねばならない。この場合に、ψは色信号の有用な位相角、従って色バーストと関連して有用な信号を送信する位相角、すなわち色情報である。この角γはこの回路装置において発生した別の位相角である。
【００４５】
これらの位相条件は今後三つの動作条件を参照して解明される。第１に、入力端子へ加えられたNTSC信号も変換された周波数位置を除いて、出力端子においてそれ自体で利用できるようにされねばならないことが想定される。第２に、入力端子へ加えられたPAL信号が出力端子において再びPAL信号として利用できるようにされ、一方PAL系列が一時的に修正される。第３に、入力端子へ加えられたNTSC信号が同周波数において変換されるのみならず、PAL信号へコード変換もされる。
【００４６】
入力端子へ加えられ且つ色副搬送波の規格周波数において出力端子でそれ自体で利用できるようにされたNTSC信号の場合には、スイッチ14aがそれの入力端子13へ接続される。その時ミクサ20の第１入力端子21へ加えられる信号は
cos(ωｔ／２＋ψ＋γ)
の位相位置を有し、そこでγ＝０である。スイッチ27が第１入力端子29へ接続されるので、第１フィルタ33へ加えられる信号は同相で＋90°シフトされる。第１フィルタ33が−45°の移相をそれへ加えられる信号を与えるので、第１フィルタ33の出力信号は＋45°の全体移相を有している。上述の式において、その時αは45°である。対応する方法において、それが45°の移相を有することは第２フィルタ34の出力信号に対して一定不変に保持する。かくして、β＝45°をそれが保持する。上述の式はそこでそのようなNTSC信号に対して満たされる。この場合には、NTSC信号がコード変換されるべきでないかぎり、スイッチ23がそれの位置25のまであるので、第２フィルタ34により供給された第２ミクシング信号の位相位置は役割を演じない。
【００４７】
出力端子におけるNTSC信号ｆcuがコード変換されねばならない場合には、色バーストがスイッチ18によって45°だけシフトされる。これはスイッチ18を色バーストの間それの入力端子16へ接続することにより達成される。残りの期間の間、スイッチ18がそれの入力端子17へ接続される。この切換はPAL規格に従った位相位置おけるこの回路装置の出力信号内の色バーストを発生するためにも達成される。
【００４８】
しかしながら、NTSC信号のコード変換に対しては、スイッチ23が今や画像ラインから画像ラインへ位置25及び26へ交互に切り換えられるので、第２ミクサの第１入力端子21へ加えられる信号は第１及び第２ミクシング信号と交互に混合される。上述の方法においては、出力信号ｆscがそれにより画像ラインから画像ラインへ交互に発生され、その出力信号はそれのもとの位相位置においてと共役複素数位相位置においてとライン交互に存在する。その結果、NTSC信号はPAL信号へコード変換される。
【００４９】
より低い搬送波周波数における入力端子に存在する信号ｆcuが規格に一致するPAL信号の色副搬送波周波数へ変換されねばならないPAL信号である場合には、上にすでに説明したように、第１ミクサ１からのミクシング信号に対して±45°のバースト位相ジャンプを補償するように、スイッチ14aが画像ラインから画像ラインまで位置12及び13へ交互に切り換えられる。
【００５０】
その上、スイッチ27は両方のフィルタ33と34とが同じ位相位置の入力信号を受け取るように位置28へ切り換えられる。それで、第１フィルタ33の−45°の移相に基づいて上述の式においてはα＝−45°である。前述のように、第２フィルタ34の値βは＋45°である。上述の式α−β＋２γ＝０において、γは＋45°の値を有さねばならない。＋45°の移相がスイッチ14aのライン交互スイッチングにより０°と＋90°との入力信号の間の平均で生じるので、これは実際に事実である。この移相は、位相比較器３、ループフィルタ４、電圧制御発振器５、除算器６及びミクサ１により構成される位相ロックループにおいて発生される。その結果、第２ミクサ20の第１入力端子21へ加えられる色信号の位相位置、又はそれの色副搬送波は、
cos(ωｔ／２＋ψ＋γ)
であり、ここでγは＋45°である。上述の式はそれによりみたされるので、所望の出力信号は第２ミクサ20によって発生される。
【００５１】
信号ｆcuのPAL系列が妨害されないかぎり、スイッチ23はそれの第１位置25へ接続されたままであり、それで第１ミクシング信号との混合が第２ミクサ20において行われる。この場合には、信号ｆcuが周波数ｆscへ変換される。例えば、入力信号のPAL系列が妨害される場合に、スイッチ23が各妨害において関連する他の位置へ切り換えられる。PAL系列が続いて妨害されない場合には、そのスイッチはこの位置におけるままにある。次の妨害において、このスイッチは関連する他の位置へ再び切り換えられる。
【００５２】
要約すると、所望の周波数変換及び、もし必要なら、コード変換のためか又はPAL 系列を補正するためかのいずれかで共役複素数信号が本発明による回路装置の簡単な構造で達成される。
【図面の簡単な説明】
【図１】  本発明による回路装置の一実施例のブロック線図である。
【符号の説明】
１  第１ミクサ
２  櫛形フィルタ
３  位相比較器
４  フィルタ
５  電圧制御発振器
６  除算器
７  水晶発振器
８  乗算器
９  除算器
10  除算器の第１出力端子
11  除算器の第２出力端子
12  スイッチ14a の第１入力接点
13   スイッチ14a の第２入力接点
14  スイッチ14a の出力接点
14a スイッチ
15  移相器
16  スイッチ18の第１入力接点
17  スイッチ18の第２入力接点
18  スイッチ
19  スイッチ18の出力接点
20  第２ミクサ
21  第２ミクサの第１入力端子
22  第２ミクサの第２入力端子
23  スイッチ
24  スイッチ23の出力接点
25  スイッチ23の第１入力接点
26  スイッチ23の第２入力接点
27  スイッチ
28  スイッチ27の第２入力接点
29  スイッチ27の第１入力接点
30  スイッチ27の出力接点
31  減衰器
32  増幅器
33  第１フィルタ
34  第２フィルタ
35  帶域通過フィルタ
BK  クロック信号
ｆcu  入力信号
ｆsc  搬送波周波数
【図１】
0003892942.tif 000002